(57)【要約】【課題】  その開放姿勢を小さくし、かつその構造を簡素化した跳ね上げ式遮断機を提供する。【解決手段】  開口の側部に立設する支柱２０と、この支柱２０の上下にそれぞれ上下揺動自在に枢支される上、下リンク３０，４０と、この上、下リンク３０，４０の先端部どうしの間に枢支される連結リンク５０とにより４節リンク機構１４を構成する跳ね上げ式遮断機１３において、上、下リンク３０，４０と連結リンク５０を揺動軸方向にオフセットして開口を開放する開放姿勢にて４節リンク機構１４が支柱２０に沿って直線状に折り畳まれる構成とし、上、下リンク３０，４０が互いに平行にならないように各リンク長さＲ３０，Ｒ４０を相違させて４節リンク機構１４は開放姿勢にて係止される構成とする。【選択図】    図１
2005207094.tif 000002
【特許請求の範囲】
【請求項１】
開口の側部に立設する支柱と、この支柱の上下にそれぞれ上下揺動自在に枢支される上、下リンクと、この上、下リンクの間に枢支される連結リンクとにより４節リンク機構を構成する跳ね上げ式遮断機において、
前記上、下リンクと前記連結リンクを互いに揺動軸方向についてオフセットして前記４節リンク機構が前記開口を開放する開放姿勢にて前記支柱に沿って折り畳まれる構成とし、
前記上、下リンクが互いに平行にならないように各リンク長さを相違させて前記４節リンク機構が前記開放姿勢にて係止される構成としたことを特徴とする跳ね上げ式遮断機。
【請求項２】
前記連結リンクは湾曲し、前記開放姿勢にて前記上、下リンクから部分的に突出する前記取っ手部を有したことを特徴とする請求項１に記載の跳ね上げ式遮断機。
【請求項３】
前記４節リンク機構を開放方向に付勢する開放付勢機構を備えたことを特徴とする請求項１または２に記載の跳ね上げ式遮断機。
【発明の詳細な説明】
【技術分野】
【０００１】
本発明は、例えば舞台装置の出入り口や、カーポートの出入り口等に開閉する跳ね上げ式遮断機の改良に関するものである。
【背景技術】
【０００２】
跳ね上げ式遮断機は、スライド式や折り畳み式のものに比べて遮断機の開放姿勢を小さくすることができ、限られたスペースの中で開口部の開放スペースを確保しやすい。
【０００３】
従来、この種の跳ね上げ式遮断機として、図６、図７に示すものがある（特許文献１参照）。
【０００４】
これについて説明すると、１Ａ，１Ｂはカーポートの出入り口に門扉として設けられる跳ね上げ式の遮断機である。この遮断機１Ａ，１Ｂは、 開口の一側部に立設する支柱２に、この上、下リンク３、４およびこれら上、下リンク３、４の先端部どうしの間を枢支連結する連結リンク５により構成される４節リンク機構Ｄを上下揺動自在に枢支している。
【０００５】
６は４節リンク機構Ｄの開閉作動をするための作動リンクである。この作動リンク６は、基端部が支柱２の下端部側にピン２ｃを介して上下方向揺動自在に支持されている。作動リンク６の先端部のハンドル６ａを把持し、ピン２ｃを支点として作動リンク６を上下方向に移動させることで、作動リンク６は、係合体７がガイド孔４ｂ内の先端側から基端側に向けて移動しながらの上下揺動を行い、これに追従して４節リンク機構Ｄが上下揺動する。
【０００６】
４節リンク機構Ｄの揺動範囲は、係合体７がガイド孔４ｂ内を移動する範囲によって規制される。４節リンク機構Ｄは、開口を塞ぐ遮断姿勢になると、係合体７が下リンクガイド孔４ｂの先端側孔端４ｃに係合するように設定されている。これによって、作動リンク６は、下リンク４に対して突っ張り、作動リンク６と下リンク４とが互いに支持し合う関係となって、４節リンク機構Ｄの先端部がこれより下方揺動することが規制され、４節リンク機構Ｄの遮断姿勢が保持される。
【０００７】
この状態から、作動リンク６を上方揺動させるように操作することで４節リンク機構Ｄが上方に変位し、４節リンク機構Ｄの荷重が支柱２に掛る開放姿勢となると、係合体７が下リンクガイド孔４ｂの基端側孔端４ｄに係合するように設定されている。これによって、作動リンク６は、下リンク４を引っ張り、作動リンク６と下リンク４とが互いに支持し合う関係となって、４節リンク機構Ｄの先端部がこれより上方揺動することが規制され、４節リンク機構Ｄの開放姿勢が保持される。
【特許文献１】特開２００２−１４７１５２号公報
【発明の開示】
【発明が解決しようとする課題】
【０００８】
しかしながら、このような従来の跳ね上げ式遮断機１Ａ，１Ｂにあっては、４節リンク機構Ｄの開放姿勢が作動リンク６を介して保持される構成のため、作動リンク６およびこれに関連して部品数の増加を招くという問題点があった。
【０００９】
また、跳ね上げ式遮断機１Ａ，１Ｂは、作動リンク６を備えるため、４節リンク機構Ｄの開放姿勢を小さくすることが難しいという問題点があった。
【００１０】
本発明は上記の問題点に鑑みてなされたものであり、その開放姿勢を小さくし、かつその構造を簡素化した跳ね上げ式遮断機を提供することを目的とする。
【課題を解決するための手段】
【００１１】
本発明は、開口の側部に立設する支柱と、この支柱の上下にそれぞれ上下揺動自在に枢支される上、下リンクと、この上、下リンクの先端部どうしの間に枢支される連結リンクとにより４節リンク機構を構成する跳ね上げ式遮断機に適用する。
【００１２】
そして、上、下リンクと連結リンクを互いに揺動軸方向についてオフセットし、開口を開放する開放姿勢にて上、下リンクと連結リンクが支柱に沿って折り畳まれる構成とし、上、下リンクが互いに平行にならないように各リンク長さを相違させ、上、下リンクが開放姿勢にて係止される構成としたことを特徴とするものとした。
【発明の効果】
【００１３】
本発明によると、遮断機は上、下リンクと連結リンクを揺動軸方向にオフセットしたことにより、開放姿勢にて４節リンク機構が支柱に沿って折り畳まれる。このため、遮断機はその格納スペースを小さくし、開口部の開放スペースを大きく確保することができる。
【００１４】
遮断機は上、下リンクが互いに平行にならないように各リンク長さを相違させたことにより、４節リンク機構は開放姿勢にて扁平な台形をつくって自動的に停止する。これにより、遮断機は上、下リンクの揺動を係止するストッパを別部材で設ける必要がなく、遮断機の小型化と構造の簡素化がはかれる。
【発明を実施するための最良の形態】
【００１５】
以下、本発明の実施の形態を添付図面に基づいて説明する。
【００１６】
図３、図４において、１０はフロア、１１は舞台装置の昇降台である。このフロア１０上には昇降台１１の出入り口（開口）を開閉する対の跳ね上げ式遮断機１３が設けられる。左右の各遮断機１３は、互いに対称的に設けられ、略同一構造とする。
【００１７】
図１、図２に示すように、遮断機１３は、開口の一側部に立設する支柱２０と、この支柱２０の上下にそれぞれ上下揺動自在に枢支される上、下リンク３０，４０と、この上、下リンク３０，４０の先端部どうしの間に枢支される連結リンク５０とにより４節リンク機構１４を構成する。
【００１８】
この４節リンク機構１４は、図１、図２に実線で示すように開口を横断して遮断する遮断姿勢と、２点鎖線で示すように開口を開放する開放姿勢とに切換わる構成となっている。
【００１９】
遮断機１３は手動で開閉作動する。これに限らず遮断機１３はアクチュエータによって自動的に開閉作動する構成としてもよい。
【００２０】
４節リンク機構１４は、上、下リンク３０，４０と連結リンク５０をそれぞれ揺動軸方向（前後方向）にオフセットし、その開放姿勢にて上、下リンク３０，４０と連結リンク５０が揺動軸方向に並び、支柱２０に沿って直線状に折り畳まれる構成となっている。
【００２１】
上リンク３０は支柱２０と同軸上に配置され、その基端部がピン３１を介して支柱２０の上端部に連結される。
【００２２】
下リンク４０は支柱２０の前方に配置され、その基端部がピン４１を介して支柱２０の略中央部に連結される。
【００２３】
連結リンク５０は上、下リンク３０，４０の間に配置され、その各端部がピン５１，５２を介して上、下リンク３０，４０の先端部に連結される。
【００２４】
上、下リンク３０，４０は直線状に延びる棒状に形成される。
【００２５】
連結リンク５０はＵ字状に湾曲するプレート状に形成される。詳述すると、連結リンク５０は各ピン５１，５２によって枢支される各端部から湾曲して延びる各湾曲部５３，５４と、各湾曲部５３，５４を結んで直線状に延びる取っ手部５５とを有する。この取っ手部５５は各ピン５１，５２を結ぶ中心線に対して横方向にオフセットされ、４節リンク機構１４が開放姿勢になる状態にて上、下リンク３０，４０から部分的に突出するようになっている。
【００２６】
各遮断機１３の取っ手部５５の間には掛金５７が設けられる。この掛金５７を介して各取っ手部５５が連結されることにより、左右の４節リンク機構１４が互いに固縛され、遮断姿勢を維持する。
【００２７】
この４節リンク機構１４は、支柱２０のリンク長さ（各ピン３１，４１の中心間の距離）と連結リンク５０のリンク長さ（各ピン５１，５２の中心間の距離）を互いに等しく設定する。そして、上リンク３０のリンク長さＲ３０（各ピン３１，５１の中心間の距離）と下リンク４０のリンク長さＲ４０（各ピン４１，５２の中心間の距離）を所定長さＳだけ相違させて設定する。こうして４節リンク機構１４は支柱２０と連結リンク５０どうし、上、下リンク３０，４０どうしが互いに平行にならないように設定し、後述するように４節リンク機構１４が所定の開放姿勢を超えて揺動することを規制する構成とする。
【００２８】
詳述すると、ピン３１とピン５１間の距離である上リンク３０のリンク長さＲ３０は、ピン４１とピン５２間の距離である下リンク４０のリンク長さＲ４０より所定長さＳだけ長くなるように設定する。これにより、図５に示すように、４節リンク機構１４は上、下リンク３０，４０が略垂直方向に延びる手前で係止し、それ以上に揺動しない構成とする。なお、なお、図５に示した寸法差は、便宜上実際よりも誇張して大きくしてあるが、実際にはかなり小さいものであり、上、下リンク３０，４０が開放姿勢にて略平行に延びるようになっている。
【００２９】
リンク長さＲ３０とリンク長さＲ４０が１０００ｍｍ程度の場合、所定長さＳは１０ｍｍ以下の範囲で任意に設定する。この長さＳは各ピン３１，４１，５１，５２のハメアイスキマ、支柱２０と連結リンク５０と上、下リンク３０，４０の寸法誤差および開閉作動時に生じる変形量を全て加算した値より若干大きく設定すればよい。
【００３０】
遮断機１３は４節リンク機構１４を開放方向に付勢する開放付勢機構６０として、支柱２０に昇降可能に設けられる重錘６１と、この重錘６１と上リンク３０を結ぶワイヤ６２と、このワイヤ６２の途中が掛け回される滑車６３とを備える。重錘６１に働く重力が４節リンク機構１４に働く重力と釣り合うことにより、遮断機１３を開閉させる力を小さく抑えられる。また、重錘６１に働く重力が４節リンク機構１４に働く重力を上回ることにより、遮断機１３は４節リンク機構１４を開放姿勢に保つようになっている。
【００３１】
アジャスタロッド６４は重錘６１の下側のストッパとなっている。
【００３２】
遮断機１３が遮断姿勢になることを検知する遮断検知手段として、４節リンク機構１４が遮断姿勢に来たときに作動するリミットスイッチ（図示せず）を設ける。このリミットスイッチからの信号に基づき、舞台装置の昇降台は遮断機１３が遮断姿勢になった状態に限って昇降作動する構成とする。
【００３３】
以上のように構成されて、次に作用について説明する。
【００３４】
遮断機１３は図１、図２に実線で示すように開口を横断して遮断する遮断姿勢と、２点鎖線で示すように開口を開放する開放姿勢とに手動によって切換わる。
【００３５】
遮断機１３は遮断姿勢にて上、下リンク３０，４０が開口を横切って上下に延び、開口を通過しようとする人の動きを止める。
【００３６】
遮断機１３は上、下リンク３０，４０と連結リンク５０を揺動軸方向にオフセットしたことにより、開放姿勢にて４節リンク機構１４が支柱２０に沿って折り畳まれる。このため、遮断機１３はその格納スペースを小さくし、開口部の開放スペースを大きく確保することができる。
【００３７】
遮断機１３は上、下リンク３０，４０が互いに平行にならないように各リンク長さＲ３０，Ｒ４０を相違させたことにより、４節リンク機構１４は開放姿勢にて図５に示すように（図１、図２には図示されていない）扁平な台形をつくって自動的に停止する。つまり、４節リンク機構１４は開放姿勢にて連結リンク５０が上、下リンク３０，４０の先端部どうしを引っ張ってそれ以上に揺動することを係止するストッパの機能を果たす。これにより、上、下リンク３０，４０の揺動を係止するストッパを別部材で設ける必要がなく、遮断機１３の小型化と構造の簡素化がはかれる。
【００３８】
連結リンク５０はＵ字状に湾曲したことにより、４節リンク機構１４が開放姿勢に来て連結リンク５０が上、下リンク３０，４０の揺動を係止する際、連結リンク５０はその湾曲部５３，５４が弾性変形し、４節リンク機構１４が停止する際に生じる衝撃を緩和する。
【００３９】
さらに、連結リンク５０は開放姿勢にて上、下リンク３０，４０から部分的に突出する取っ手部５５を有したことにより、人が取っ手部５５を持ちやすくなり、遮断機１３の開閉操作が容易に行える。
【００４０】
前記４節リンク機構１４を開放方向に付勢する開放付勢機構６０を備えたことにより、遮断機１３を開閉させる力を小さく抑えられ、遮断機１３の開閉操作が容易に行える。
【００４１】
なお、開放付勢機構６０として、上、下リンク３０，４０を跳ね上げ方向に付勢するスプリング等を設けてもよい。
【００４２】
また、４節リンク機構１４は、上リンク３０のリンク長さＲ３０と下リンク４０のリンク長さＲ４０を等しく設定し、支柱２０のリンク長さと連結リンク５０のリンク長さを互いに所定長さだけ相違させて設定してもよい。この場合も、４節リンク機構１４は支柱２０と連結リンク５０どうし、上、下リンク３０，４０どうしが互いに平行にならないため、所定の開放姿勢にて係止させることができる。
【００４３】
本発明は上記の実施の形態に限定されずに、その技術的な思想の範囲内において種々の変更がなしうることは明白である。
【産業上の利用可能性】
【００４４】
本発明の跳ね上げ式遮断機は、例えば舞台装置の出入り口や、カーポートの出入り口等に開閉するものに利用できるとともに、さらに他の開口を開閉するものにも利用できる。
【図面の簡単な説明】
【００４５】
【図１】本発明の実施の形態を示す跳ね上げ式遮断機の正面図。
【図２】同じく跳ね上げ式遮断機の背面図。
【図３】同じく跳ね上げ式遮断機の側面図。
【図４】同じく跳ね上げ式遮断機の平面図。
【図５】同じく４節リンク機構の作動説明図。
【図６】従来例を示す跳ね上げ式遮断機の正面図。
【図７】同じく跳ね上げ式遮断機の平面図。
【符号の説明】
【００４６】
１３  跳ね上げ式遮断機
１４  ４節リンク機構
２０  支柱
３０  上リンク
４０  下リンク
５０  連結リンク
５３  取っ手部
６０  開放付勢機構
【図１】
2005207094.tif 000003
【図２】
2005207094.tif 000004
【図３】
2005207094.tif 000005
【図４】
2005207094.tif 000006
【図５】
2005207094.tif 000007
【図６】
2005207094.tif 000008
【図７】
2005207094.tif 000009